(57)【要約】  本発明は、乗用車の費用効率の高い耐荷重構造体に金属製の平板材を製造するための方法、用途、又はプロファイル、及びその使用に関する。主な成形製造方法として、ＤＩＮ  ＥＮ  ＩＳＯ  ８５８０による曲げ成形が用いられる。【選択図】図１
2021510633.tif 000002
【特許請求の範囲】
【請求項１】
乗用車の耐荷重構造体の製造方法であって、ＤＩＮ  ＥＮ  ＩＳＯ  ８５８６  による曲げ成形が、金属製の平板材から製造された前記構造体の主な成形手順（≧５０％）として用いられ、耐荷重構造体は、陸上の自動車両又はその取り付けられたか若しくは引っ張られた構造体と定義され、曲げ成形は、前記金属製の平板材の大部分（≧５０％）のマルチエッジ成形プロセスとして実施されることを特徴とする、製造方法。
【請求項２】
用いられる前記耐荷重構造体が、金属製の平板材であり、厚さが≦６．０ｍｍ、より好ましくは≦３．０ｍｍであることを特徴とする、請求項１に記載の乗用車の耐荷重構造体の製造方法。
【請求項３】
必要な予備切断工程及びそれに続く曲げ成形工程の前の、前記用いられる金属製の平板材の納入時の状態が、コイル、ストリップ、板、シート、ブランク、曲線状若しくは形作られたシート、又はパネルであることを特徴とする、請求項１又は２に記載の乗用車の耐荷重構造体の製造方法。
【請求項４】
前記耐荷重構造体が、追加の塗装又は陰極浸漬塗装なしにブランク金属表面で用いられることを特徴とする、請求項１〜３のいずれか一項に記載の乗用車の耐荷重構造体の製造方法。
【請求項５】
前記金属製の平板材が、好ましくはステンレス鋼、より好ましくは冷却硬化ステンレス鋼であることを特徴とする、請求項１、２、３に記載の乗用車の耐荷重構造体の製造方法。
【請求項６】
前記金属製の平板材が、好ましくは、降伏強度Ｒｐ０．２≧４００ＭＰａ、及び曲げ角度α≧９０°を同時に備えた高強度鋼であることを特徴とする、請求項１、２、３に記載の乗用車の耐荷重構造体の製造方法。
【請求項７】
前記金属製の平板材が、可撓性圧延又はテーラード溶接製品であることを特徴とする、請求項１、２、３に記載の乗用車の耐荷重構造体の製造方法。
【請求項８】
前記金属製の平板材が、熱間形成され、その後曲げ成形によって製造されることを特徴とする、請求項１、２、３に記載の乗用車の耐荷重構造体の製造方法。
【請求項９】
前記金属製の平板材が、いわゆるサンドイッチ構造体であるか、又は鋼ポリマー複合構造体とも呼ばれることを特徴とする、請求項１、２、３に記載の乗用車の耐荷重構造体の製造方法。
【請求項１０】
前記製造された車両が、フランチャイズ製造の概念で用いられることを特徴とする、請求項１、２、３に記載の乗用車の耐荷重構造体の製造方法。
【請求項１１】
前記製造された車両が、自動車、バス、タクシー、又はピープルムーバのような乗客輸送車両として用いられることを特徴とする、請求項１、２、３に記載の乗用車の耐荷重構造体の製造方法。
【請求項１２】
前記製造された車両が、電池式電気車両（ＢＥＶ）、ハイブリッド版も含む燃料電池車両（ＦＣＶ）として用いられることを特徴とする、請求項１、２、３に記載の乗用車の耐荷重構造体の製造方法。
【請求項１３】
前記耐荷重構造体が、バン、ピックアップ、郵便局車両、ラスト１マイル輸送車両、又は構内運搬車の車体などの陸上の貨物輸送車両に用いられることを特徴とする、請求項１、２、３に記載の乗用車の耐荷重構造体の製造方法。−ベースの
【請求項１４】
乗用車の耐荷重構造体の使用であって、ＤＩＮ  ＥＮ  ＩＳＯ  ８５８６による曲げ成形が、金属製の平板材から製造された前記構造体の主な成形手順（≧５０％）として用いられ、これにより、耐荷重構造体は、陸上の自動車両又はその取り付けられたか若しくは引っ張られた構造体と定義されることを特徴とする、使用。
【請求項１５】
乗用車の耐荷重構造体のプロファイルであって、ＤＩＮ  ＥＮ  ＩＳＯ  ８５８６による曲げ成形が、金属製の平板材から製造された前記構造体の主な成形手順（≧５０％）として用いられ、耐荷重構造体は、陸上の自動車両又はその取り付けられたか若しくは引っ張られた構造体と定義されることを特徴とする、プロファイル。
【発明の詳細な説明】
【技術分野】
【０００１】
本発明は、費用効率の高い車両の耐荷重構造体に金属製の平板材を製造するための方法、用途、又はプロファイル、及びその使用に関する。主な成形製造方法として、ＤＩＮ  ＥＮ  ＩＳＯ  ８５８６による曲げ成形が用いられている。
【背景技術】
【０００２】
乗用車の製造は、成形、溶接、及び切断の製造プロセスを集中的に使用することを特徴とする。これにより、深絞り成形、液圧成形、又はエンボス成形のような引張圧縮成形又は引張成形方法は、乗用車の車両製造で最も重要である。それらは、多量かつ短サイクル時間に適していることを特徴とすることができ、したがって、主に自動車の車体工学の分野に用いられている。一方で、必要な成形工具は、投資コストが高く、それに対応する成形プレス機が必要となる。通常、成形工具は、一種類の部品と部品ジオメトリとのためだけに同時に用いることができる。最後の態様のために、車両のために部品全てを構築するために、又は種々の車両シリーズのために部品全てを更に構築するために、多数の成形工具が必要とされる。これは、大型産業車両製造中の高い固定資本値と、それに対応する保管領域の必要性とを意味する。更に、成形工具は、重量的に重い（≧２ｔの場合もある）ため、クレーンなどの機械による支持が必須となる。この追加の機械の使用時間、コスト、及び可用性も考慮に入れなければならない。工具サイズは、特に外皮部分の場合、一方向に５．０メートル超に達し、数千万
【０００３】
【数１】
2021510633.tif 000003
【０００４】
の範囲で投資コストを負担する可能性がある（ｈｔｔｐｓ：／／ｗｗｗ．ｔｈｙｓｓｅｎｋｒｕｐｐ．ｃｏｍ／ｄｅ／ｎｅｗｓｒｏｏｍ／ｐｒｅｓｓｅｍｅｌｄｕｎｇｅｎ／ｐｒｅｓｓ−ｒｅｌｅａｓｅ−１３１５５２．ｈｔｍｌ）。最先端の自動車の車体は、５５０個の単一部品から設計されている。その結果、溶接作業及び種々の溶接技術の需要も高くなっている。車体に形成された部品を組み立てた後、塗装工場は、最先端の次なる生産工程で、車体が陰極浸漬塗装で塗装される。また、このため、高い投資コスト及び生産コストが必要である。乗用車に特化した、本明細書に記載される車両の製造方法は、大手ＯＥＭ（相手先商標製品の製造会社、Ｏｒｉｇｉｎａｌ  Ｅｑｕｉｐｍｅｎｔ  Ｍａｎｕｆａｃｔｕｒｅｒ）に確立されている。
【０００５】
現在、代替パワートレインソリューション、カーシェアリング、又は自律運転などの新たな動向には、乗用車のための新たな設計概念だけでなく、新たな工場を構築する必要性と共に新たな製造業者を含める。特に、スタートアップ企業、スピンオフ企業、又は小規模ＯＥＭなどの新たな製造業者は、塗装工場のような精巧で広範な製造プロセスを構築するための投資資金を持っていないが、とりわけ、必要な多数の成形工具を有する成形プレス機を持っている。更に、アジア又はアフリカなどの地域では、人口増加に対して手頃な価格の車の必要性が高まっている。また、巨大都市のような高都市圏では、単純だが適応性があり、省スペースな車両が求められている。乗用車に対する局所的な必要性を満たすためには、必要な開始資金はあるが、高い開発費及び投資コスト、並びに時間がかからず、更に、大規模な工場を建設する必要もない、フランチャイズ概念が、将来的には短期間で自動車を製造するための１つの解決策となり得るだろう。しかし、乗用車の新たな製造概念が必要である。乗用車の例は、商用車又は農業用車両のような乗客及び貨物のための、その他の陸上の輸送システムにも適用することができる。
【０００６】
国際特許出願第２０１７／１７７６７７（Ａ１）号からは、この場合の折り畳みとは、自転車の種々の部品を、取り扱いが容易であるか、又は省スペースで収納することができる小容積物に折り畳むための折り畳み機構を意味することが知られている折り畳み式電動自転車である。本発明とは対照的に、折り畳み式電動自転車は、分離可能な接続部の一種であり、部品の折り畳み中に元の機能（駆動）が失われる。更に、本発明以外の製造方法で製造されると思われる。本発明の定義における折り畳みとは、アプリケーションの使用中ではなく、製造中に構造体を折り畳むことを意味する。
【発明の概要】
【０００７】
したがって、本発明の目的は、先行技術のいくつかの欠点を解消することと、金属製の平板材で製造され、かつＤＩＮ８５８６による曲げ成形を主な成形手順として用いる、乗用車のための軽量かつ費用効率の高い耐荷重構造体を実現することである。すなわち、曲げ成形は、構造体の成形動作全体の≧５０％が用いられていることを意味する。更に、一面では剛性及び衝突性能を向上させ、他の一面では費用効率の高い生産方法を有するために、最終的な耐荷重構造体に組み立てられた金属製の平板材の大部分（≧５０％）に対してマルチエッジ成形プロセスとして曲げ成形を実施する。マルチエッジプロファイルは、少なくとも２つの縁が一体化されたプロファイルと定義される。複数のマルチエッジプロファイルの典型的な単純な例としては、Ｕプロファイル又はＺプロファイルがあり、これらは２つ縁プロファイルである。本発明の目的は、折り畳み箱のような耐荷重構造体を上位の動作原理として用いることにより、部品数を最小限に抑え、同時に廃棄物を削減する、低投資の生産方法を提供することである。耐荷重性構造体の結果として設計するために用いられる、かかる方法では、平坦な金属材は、付加製造及び３Ｄ印刷に関連して競争力を発揮する。
【０００８】
本発明においては、ＤＩＮ８５８６による曲げ成形が主な成形手順として用いられ、好ましくは、１シートあたり少なくとも２つ以上（≧）の縁を伴うマルチエッジ成形プロセスとして実施される。種々の曲げ動作は、耐荷重構造体として用いることができる折り畳み箱のような構造体をもたらす。これにより、直線又は回転工具の動きを備えた工作機械器具設備は、種々の機能を一体化した複雑な部品に、１８０°までの曲げ角度で平坦な金属材を１つ又は種々の工程で曲げ、総車体部品の数を減らし、そのために必要な溶接作業を減らすために、種々の柔軟性のある成形動作に用いることができる。これにより、１台の機械を、種々の、実際に必要とされる部品の製造、更には再加工、再設計、又は試作品にも用いることができる。単純な製造方法は、特に増産、小型シリーズ、多様性の高い車両、又はフランチャイズベースの車両システムの利点として機能する。
【０００９】
曲げ成形（又は「曲げ加工」とも呼ばれる）は、曲げ荷重が最も重要である成形方法として定義されている。これにより、成形区域内の曲げ応力が影響を受ける。より詳細には、平坦な金属材の曲げ加工は、一方の表面部分の残りの部分に関連する下への折り曲げとして説明することができる。曲げ成形のサブ手順として、ビーディング、エッジング、フランジング、フリー曲げ、旋回曲げ、又はロール曲げのような手順は、本発明の方法を実現させる。以下、曲げ角度が９０°の平坦なシートの縁の曲げ加工を立ちはぜ継ぎと呼ぶのに対し、１８０°にほぼ等しい（≒）曲げ加工は、単に継ぎと呼ぶ（「折り返し」も一般的な定義である）。曲げ成形の更なる利点の１つは、工具の柔軟な使用法であり、クレーンの支持がなくても、少なくとも一人の作業者で軽量な曲げ工具の迅速な工具交換が可能である。
【００１０】
最初の金属材は、厚さｔ≦６．０ｍｍ、より好ましくはｔ≦３．０ｍｍの平坦な材料であり、コイル、ストリップ、シート、板、又はパネルとして実行することができる。レーザー、ウォータジェット、又は機械による好ましい切断により、予め組み立てられた成形形状も可能である。これにより、後の曲げ成形のためのシート全てが、可能な限り低いスクラップと高い材料歩留まりを有する方法で入れ子にされるように、切断を行うことができる。この製造方法の利点は、特にフランチャイズ車両システムの場合、最終的に耐荷重構造体が組み立てられる最終場所までの材料の輸送がより安く、より容易で、より効果的になることである。供給元又は別のプレス工場から最終的な組み立て工場に大きな成形部品を配送する代わりに、（予め組み立てられた）平坦なシートを、曲げ成形機のみが必要な場所に配送する。特に種々の大陸上での輸送は、ほぼ１００％の効率を示し、成形部品に関連して「航空」輸送されることはない。新工場、企業、フランチャイズ店の所有者の迅速かつ局所的な増産は、事前に高額な投資をしなくても可能である。
【００１１】
乗用車の耐荷重構造体に複雑な曲げ成形されたシートを接合することにより、この応用分野でのアルミ押出形材又はアルミダイキャスト部品と比較して、平坦なシートの欠点を均一化することが可能である。乗用車のかかるアルミニウム押出形材の広範な用途は、米国特許出願２０１４／３２７２７４（Ａ１）の一例として指摘されている。曲げ成形後、接合プロセス、好ましくは溶接のような熱接合プロセスは、類似の曲げ成形された縁、部品を閉じるために、又は種々の曲げ成形されたシートを最終的な耐荷重構造体に接合するためにも用いられる。本発明の方法、用途、又はプロファイルは、溶接作業を削減するだけでなく、１つの耐荷重構造体のために用いられる種々の溶接技術の数を削減することも可能にする。そのため、またしても投資コストが削減される。種々の曲げ成形された部品を接合するために、より単純なクランプ装置を用いることができる。好ましくは、重ね継手構成における１つの溶接方法のみが、２枚、最大３枚のシート構成の抵抗点溶接のように利用される。この手法により、折り畳み箱のような耐荷重構造体への曲げ成形された部品の入れ子化が可能となる。本発明の好ましい設計は、主な曲げ方向（角度）に交差する短い曲げビードを導入して、耐荷重構造体を他の荷重方向にも強化することである。本発明の好ましい別の設計方法は、切断中にスロットを含むことであり、その中に、類似の部品又は種々の曲げ成形された部品をインターロックすることができる。この種の「プラグシステム」を使用することにより、後続の溶接をより容易に実行することができ、更なるクランプ装置なしに、このプロセス工程のために位置付けられるが、完全な耐荷重構造体の剛性も向上させることができる。平坦なシートの曲げ成形の他に、当然のことながら、種々の部品に、曲げ成形されたチューブ、ロッド、又は中空体を追加することも可能である。これは、曲げ加工機が１つの工場で利用可能な場合に好適であり、言及された製品形態は、平坦な材料で曲げ成形された車体とは別に、耐荷重構造体、例えば、Ａピラーとして曲げ成形されたチューブに剛性の利点を付加することができる。
【００１２】
乗用車の衝突関連要件を満たすためには、例えば、入れ子設計又は折り重なった設計を用いて、衝撃と衝突安全区域との間の多層構成が確保されるような方法で、曲げ成形を行わなければならない。これは、１枚のシートを単数又は種々の工程で１８０°に近い曲げ角度に曲げ成形することにより、片手で実現することができる。他方では、言及された、スリットに入れ子にする前のものも、又は更に用いることができる。更に、ばね設計において曲げ成形された部品を加工すること、及び他の耐荷重構造体との挿入、溶接、又はステープリングによって、それらの「ばね」を衝突関連区域に一体化することが可能である。この設計は、曲げ成形されたクランブル箱の形態で実現することができる。このような設計については、位置は、距離要素として機能する曲げ成形されたシートで確定することができる。
【００１３】
衝突関連領域の１つの好ましい実施形態では、本発明の方法で製造された少なくとも２つの曲げ成形されたプロファイルを横方向の構成内に用いる。本発明の場合における横方向とは、少なくとも２つの曲げ成形された構造体が互いに相互位置を有しており、互いに重ね継ぎ構成で接合されている、好ましくは、回転及びねじれに対する接合設計として行われていることを意味する。曲げ成形されたプロファイルのこの使用により、耐荷重構造体は、材料を集中的に使用することなく剛性を向上させることができる。剛性がありながらも軽量な構造に到達することができる。
【００１４】
主な成形手順（≧５０％）として平坦な金属材を曲げ成形する使用法の他に、入手可能性、価格、及び設計概念がそれらを一体化することを可能にする場合は、追加として曲げ成形によるチューブ又はセロリも更に用いることができる。ピラーのような特殊な部分について、又は補強要素として（例えば、ロッカーパネル領域内の）、曲げ成形されたチューブ又はセロリ構造は、耐荷重構造体の剛性を向上させることができる。
【００１５】
本発明の更なる好ましい実施形態の１つは、少なくとも１つの曲げ成形された耐荷重構造体内の追加の補強要素及び強化要素として切断による残余を用いることにより、用いられた平坦な金属材のスクラップを最小限に抑える。このため、残余シートは、構造体に挿入され、次いでそれに接合されなければならない。
【００１６】
本発明の方法は、内燃機関の代わりに代替パワートレインを備えた乗用車に好適に機能する。その１つとして、電気駆動車両は、駆動概念として、同伴エネルギー貯蔵装置（電池モジュールのような）と組み合わせた電気駆動装置を用いている。電気駆動車両は、それぞれの駆動概念に応じて、純粋に電力を用いる電池式電気車両（Ｂａｔｔｅｒｙ  Ｅｌｅｃｔｒｉｃ  Ｖｅｈｉｃｌｅ、ＢＥＶ）、ハイブリッド電気車両（Ｈｙｂｒｉｄ  Ｅｌｅｃｔｒｉｃ  Ｖｅｈｉｃｌｅ、ＨＥＶ）、プラグイン電気車両（Ｐｌｕｇ−ｉｎ  Ｈｙｂｒｉｄ  Ｅｌｅｃｔｒｉｃ  Ｖｅｈｉｃｌｅ、ＰＨＥＶ）、又は電気エンジンを燃焼モータと組み合わせた範囲拡張電気車両（Ｒａｎｇｅ  Ｅｘｔｅｎｄｅｄ  Ｅｌｅｃｔｒｉｃ  Ｖｅｈｉｃｌｅ、ＲＥＥＶ）に分類することができる。また、水素の形で化学的に貯蔵されたエネルギーを電気エネルギーに変化させる燃料電池車両（Ｆｕｅｌ  Ｃｅｌｌ  Ｖｅｈｉｃｌｅ、ＦＣＶ）又は燃料電池ハイブリッド車両（Ｆｕｅｌ  Ｃｅｌｌ  Ｈｙｂｒｉｄ  Ｖｅｈｉｃｌｅ、ＦＣＨＶ）も、電気車両の１つの追加グループである。一般に、電気車両のための電池パックは、電池の重い重量の下で苦慮しており、これは、より低い範囲の電気車両に直接影響を及ぼし、ひいては購入者の受け入れを低下させている。種々の電池モジュールを保護するための電池区画はまた、本発明の方法を用いることによって、折り畳み箱のような耐荷重構造体として実行され得る。これは、別個の部品として、又は乗用車の耐荷重構造体に直接一体化させることが可能である。電池区画は、その重量により、車両の車体の底面領域に位置され、したがって駆動挙動に影響を与える。したがって、電池式電気車両の１つの特別な課題は、先の尖った物体が電池区画を貫通して電池を破壊した場合の、車体の底面への衝撃である。本発明の方法では、曲げ成形された折り畳み構造を行って、車体の底面を保護することができる。好ましくは、１つの設計は、衝撃部材の滑りを作成するためのジグザグプロファイルである。本発明の方法、用途、又はプロファイルでは、電池区画は、取り換え可能なシステム、いわゆる交換可能な電池として実施することができる。この場合、少なくとも１つの側面は、例えば、ねじ、プラグコネクタ、ピン、又はボルト接続などで、取り外し可能な接続部として固定される。また、曲げ成形された耐荷重構造体の内部、並びに単体の曲げ成形された部品に、振動、応力、位置、又は動き測定のためのセンサを状態監視として組み込むことが可能である。
・本発明の方法の最も好適な応用分野は、欧州連合（規格２００７／４６／ＥＧ）によって、乗用車の自重が４００ｋｇ以下の四輪車として規定されている、いわゆるＬ７Ｅ車両等級の乗用車の車体である。商品輸送の場合は、５５０ｋｇに限度が規定されている。この重量制限には、電気駆動車両の内部の電池を含まれていない。本発明の好ましい実施形態として、幅が≦１５００ｍｍ、より好ましくは≦１２５０ｍｍ、
・長さが≦２０００ｍｍ、より好ましくは≦１７５０ｍｍの寸法を有する車体を作製することができる。
【００１７】
本発明を調整及びスケーリングすることにより、電気バス、電気商用車両、電気タクシー、又は宅配便用の車両のようなその他の陸上の自動車両にも機能する。更に、空港、展示センター、競技場、又は多機能アリーナでの自立運転の概念、例えば、自動運転システム（「ピープルムーバ」と呼ばれることが多い）は、曲げ成形された耐荷重構造体として、低コストかつ迅速なセットアップで容易に行われ得る。
【００１８】
本発明の方法は、全ての平坦な金属材に適している。高い投資コストなしの方法、迅速な増産又は試作、及び高い柔軟性を可能にすることを目標として、平坦なステンレス鋼、より好ましくはひずみ硬化オーステナイト系ステンレス鋼は、本発明に最も高い可能性を提供する。ステンレス鋼は、主に耐食性に特徴があり得る。結果として、耐荷重性構造体は、ステンレス鋼の酸化クロムパッシベーション層面を自然及び不動態化し、追加の塗装又は陰極浸漬塗装なしのブランク金属表面と共に用いることができる。したがって、塗装工場のすえ込み及び使用は必要ではない。本発明の理想的な実施形態として、降伏強度Ｒｐ０．２≧４００ＭＰａ、及び曲げ角度α≧９０°を同時に有する鋼を用いて、一面では軽量化要件及び衝突要件を満たし、他の一面では曲げ成形の可能性を満たす。ほとんどのステンレス鋼、特にひずみ硬化オーステナイト鋼種、及び二相ステンレス鋼は、これらの要件を満たしている。同時に、オーステナイト系ステンレス鋼は、高いエネルギー吸収性を示し、ばね鋼として用いることができ、陸上の車両の曲げ成形された耐荷重構造体、又はその取り付けられたか若しくは引っ張られた構造体に更なる利点を提供する。別のステンレス鋼の選択肢は、高強度特性に到達するために熱間成形又はプレス硬化のための空気硬化剤として用いることができるマルテンサイト系ステンレス鋼とすることができる。同時に、アニール処理の後、曲げ角度≧９０°の曲げ成形に十分な高延性を提供する。すなわち、かかるマルテンサイト系ステンレス鋼が、平坦なシート状態で熱間成形され、目的地に納入後、耐荷重構造体に曲げ成形され得ることを意味する。この場合もやはり、製造場所に局所的である広範な機械は、前述の利点全てと共に必要ではない。更に、リサイクルの態様は、この材料グループの巨大な利点である。ステンレス鋼は、電気アーク炉内で溶融され、数十年にわたって再び用いられ得る。また、国際公開第２０１６／０９７１８６（Ａ１）号内で溶接可能な溶液として記載されているように、サンドイッチ構造と呼ばれることが多い鋼ポリマー複合構造も、記載されている要件を満たしており、金属製の平板材として曲げ成形された耐荷重構造体に用いることができる。
【００１９】
折り畳み箱のような構造体の設計、コスト、及びかかる製品形態の入手可能性に応じて、構造体の剛性、軽量性、又は耐衝突性のような特性を更に向上させるために、テーラード溶接又は可撓性圧延された平坦な金属材を用いることもできる。
【００２０】
これにより、陸上の自動車両の耐荷重構造体、又はその取り付けられたか若しくは引っ張られた構造体に単一の材料を用いることは、フランチャイズ及び物流の点では必要ではないが、有利に働く。材料コスト、必要な厚み、及び強度レベルに関しては、本発明の方法はまた、多材設計構造体としても機能し、多材設計構造体とは、この場合、種々の平坦な金属材を使用することを意味する。
【図面の簡単な説明】
【００２１】
本発明は、以下の図面を参照して、より詳細に例示される。
【図１】本発明の一実施形態の概略平面図を示す。
【図２】本発明の別の実施形態の１つの組み立て状態の概略図を示す。
【図３】本発明の更なる別の実施形態の別の組み立て状態の概略図を示す。
【発明を実施するための形態】
【００２２】
図１は、曲げ成形前の予備切断工程後の平坦な金属材（１）を示しており、破線（２）は、曲げ成形領域（曲げ軸）を示しており、これにより、耐荷重構造体は、乗員区域（３）、サイドパネル（４）、後壁（５）、及びフロントパネル（６）に分類することができる。
【００２３】
図２は、重ね継ぎ構成（８）内の少なくとも２つの曲げ成形された構造体（７）の横方向の構成を示す。
【００２４】
図３は、納入した長方形の平坦な金属シートから切断した後の、追加の補強要素及び強化要素として、残余シート（９）を曲げ成形された耐荷重構造体（１０）に挿入することを示す。
【図１】
2021510633.tif 000004
【図２】
2021510633.tif 000005
【図３】
2021510633.tif 000006
【国際調査報告】
2021510633.tif 000007
2021510633.tif 000008
2021510633.tif 000009